【事件の表示】
　特願２０１２−５２５４９８「ホームネットワークシステム及びその制御方法」拒絶査定不服審判事件〔平成２３年　２月２４日国際公開、ＷＯ２０１１／０２１９０１、平成２５年　１月２４日国内公表、特表２０１３−５０２８１９、請求項の数（１２）〕について、次のとおり審決する。
【結　論】
　原査定を取り消す。
　本願の発明は、特許すべきものとする。
【理　由】
第１　手続の経緯
　本願は、２０１０年８月２０日（パリ条約による優先権主張外国庁受理２００９年８月２１日、大韓民国）を国際出願日とする出願であって、平成２６年３月３日付けで拒絶理由が通知され、同年６月１８日付けで手続補正がされ、同年９月１７日付けで拒絶査定（以下、「原査定」という。）がされ、これに対し、平成２７年１月２６日に拒絶査定不服審判が請求されるとともに、同日付けで手続補正がされ、その後、当審において同年８月１８日付けで拒絶理由（以下、「当審拒絶理由」という。）が通知され、同年１１月２５日付けで手続補正がされたものである。
第２　本願発明
　本願の請求項１〜１２に係る発明は、平成２７年１１月２５日付けの手続補正で補正された特許請求の範囲の請求項１〜１２に記載された事項により特定されるものと認められる。
　本願の請求項１に係る発明（以下、「本願発明」という。）は以下のとおりである。
「【請求項１】
　複数の被制御デバイスを制御するためのコマンドセットを伝送する入力デバイスと、
前記入力デバイスから受信された前記コマンドセットに基づいて、前記複数の被制御デバイスのうち、少なくとも二つの被制御デバイスを順次に一括制御する制御デバイスと、を有し、
　前記制御デバイスは、前記入力デバイスが固定された位置で使用される自宅内デバイスである場合、前記二つの被制御デバイスのみを制御し、前記入力デバイスがユーザによって携帯可能な自宅外デバイスである場合、前記二つの被制御デバイス以外の被制御デバイスを追加で制御する、ホームネットワークシステム。」　
第３　原査定の理由について
１．原査定の理由の概要
　本願発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　　　　　記
　刊行物１：特開２００１−１０３５８４号公報
　刊行物２：特開２００２−３５４５５５号公報
　刊行物３：特開２００７−５３５６０号公報
　刊行物４：特開２０００−３１２３９０号公報
　刊行物５：特開２００７−３２４７３５号公報
　刊行物１には、リモコンで入力されたマクロコマンドに基づいて、複数の機器を順次に一括制御することが記載されている。また、刊行物２には、リモコンで「劇場モデル」が選択された場合に、選択に基づいてサーバが複数の機器を順次に、一括制御することが記載されている。そして、制御対象の被制御デバイス以外のデバイスを制御することは、刊行物３〜５に記載されているように周知技術であるから、刊行物１又は２に記載の発明に、刊行物３〜５に記載の周知技術を適用することは、当業者が容易に想到し得たものである。
２．原査定の理由の判断
（１）刊行物の記載事項
Ａ　原査定の拒絶の理由に引用された特開２００１−１０３５８４号公報（刊行物１）には、図面とともに以下の事項が記載されている。
　
イ．「【０００１】
【発明の属する技術分野】この発明は、ネットワークに接続された機器を利用者に提示すると共に、利用者による機器制御を可能とする機器制御方法および機器制御システムに関する。」（４頁５欄） 
　
ロ．「【００６３】(コントローラによる複数機器の制御)図１において、機器１(１００１)〜機器５(１００５)夫々が、テレビ、ビデオデッキ、ＣＤ・ＭＤコンポ、パーソナルコンピュータ(以下、パソコンという)、ＣＳ(Communication Satellite)チューナーであるものとし、以下、これらの機器を制御する場合について説明する。なお、図２は複数の家電機器が接続されたホームネットワークの模式図を示している。図２において、２００２はビデオデッキ、２００３はＣＤ・ＭＤコンポ、２００４はパソコン、２００５はＣＳチューナーである。このようなホームネットワークに接続された家電機器(２００１〜２００５)を単一のリモコンで制御する場合、概略的には以下のような手順で機器の制御を行う。
ステップ１  ：  機器選択制御パネルの表示
ステップ２  ：  利用者による機器の選択
ステップ３  ：  機器専用制御パネルの表示
ステップ４  ：  利用者による機器専用制御パネルでのコマンド選択
ステップ５  ：  機器へのコマンドの送信とコマンドの実行
ステップ６  ：  ステップ４またはステップ１に戻る
この手順の中でＵＩのポイントとなるのは、機器選択制御パネルと機器専用制御パネルである。」（９頁１６欄〜１０頁１７欄）
ハ．「【００７１】まず初めに、仮想機器によるタスクについて説明を行う。
上記仮想機器は、１つ以上の機器に含まれる全てのコマンドのうちの任意の１つ以上のコマンドを有するものとして表現される。例えば、『テレビでビデオを見る』というタスクは、テレビを見るのに必要な音量変更等のコマンドと、ビデオを見るのに必要な再生コマンドやテープ送り等のコマンドが必要である。このように、１つ以上の機器に含まれる全てのコマンドのうちの必要なコマンドを集めたものが仮想機器である。図９に、『テレビでビデオを見る』という仮想機器の機器専用制御パネルの一例を示している。なお、図７,図８の制御パネルと同一の構成部は、同一参照番号を付している。
【００７２】図９に示すように、制御パネル９０００は、電源ボタン９０５０と、テレビの音量変更部７００２と、画面サイズ切替ボタン７００４と、ビデオの再生ボタン８００２と、停止ボタン８００３と、一時停止ボタン８００４と、早送りボタン８００５と、巻戻しボタン８００６と、録音ボタン８００７と、テレビまたはビデオデッキに関する任意の情報を表示する９１００と、『テレビでビデオを見る』という仮想機器が選択されていることを示すアイコン９２００と、『テレビでビデオを見る』という仮想機器に含まれている機器を表示する構成機器表示部９３００と、機器選択制御パネルに切り替えるための機器選択ボタン７４００とで構成されている。上記構成機器表示部９３００には、『テレビでビデオを見る』という仮想機器に係わる機器すなわちテレビとビデオデッキのアイコン９３０１,９３０２を表示している。
【００７３】図７のテレビ専用制御パネル７０００と図８のビデオデッキ専用制御パネル８０００とを参照して分かるように、図９の制御パネル９０００には、テレビとビデオデッキの双方を操作するための全てのコマンドが含まれている訳ではない。利用者は、時として、そのタスクを遂行しながら、個別の単体機器だけを制御したいと思うこともある。図９に示す構成機器表示部９３００は、そのような要求に応えるための仕組みであり、構成機器表示部９３００内に表示されている単体機器のアイコンを選択すると、該当する機器専用制御パネルに表示が切り替わる。すなわち、図９の制御パネル９０００において、利用者がテレビアイコン９３０１を選択すると、図７のテレビ専用制御パネル７０００に切り替わり、図９の制御パネル９０００においてビデオデッキアイコン９３０２選択すると、図８のビデオデッキ専用制御パネル８０００に切り替わるのである。
【００７４】次に、もう一方のタスクであるマクロコマンドによるタスクについて説明する。図９に示す電源ボタン９０５０の押下により実行されるコマンドはマクロコマンドであり、『テレビでビデオを見る』ためにテレビとビデオデッキの環境を整える一連のコマンドを自動的に実行する。このコマンド系列は以下のようなものである。
ステップ１  ：  ビデオデッキの電源をオンにする
ステップ２  ：  ビデオデッキの外部出力をテレビにする
ステップ３  ：  テレビの電源をオンにする
ステップ４  ：  テレビの外部入力をビデオにする
以上のように、マクロコマンドを用いることで複数の機器にまたがる複数のコマンドをボタン一つで実行することができ、利用者による機器の操作が簡潔になる。」（１０頁１８欄〜１１頁１９欄）
　上記刊行物１の記載及び図面並びにこの分野における技術常識を考慮すると、上記イ．の【０００１】における「この発明は、ネットワークに接続された機器を利用者に提示すると共に、利用者による機器制御を可能とする機器制御方法および機器制御システムに関する。」との記載、上記ロ．の【００６３】における「図２において、２００２はビデオデッキ、２００３はＣＤ・ＭＤコンポ、２００４はパソコン、２００５はＣＳチューナーである。このようなホームネットワークに接続された家電機器(２００１〜２００５)を単一のリモコンで制御する」との記載、及び図２によれば、機器制御システムは、複数の家電機器（２００１〜２００５）をリモコンで制御するものである。
　また、上記ハ．の【００７４】における「もう一方のタスクであるマクロコマンドによるタスクについて説明する。図９に示す電源ボタン９０５０の押下により実行されるコマンドはマクロコマンドであり、『テレビでビデオを見る』ためにテレビとビデオデッキの環境を整える一連のコマンドを自動的に実行する。このコマンド系列は以下のようなものである。ステップ１  ：  ビデオデッキの電源をオンにする　ステップ２  ：  ビデオデッキの外部出力をテレビにする　ステップ３  ：  テレビの電源をオンにする　ステップ４  ：  テレビの外部入力をビデオにする　以上のように、マクロコマンドを用いることで複数の機器にまたがる複数のコマンドをボタン一つで実行することができ、利用者による機器の操作が簡潔になる。」との記載、及び図９によれば、機器制御システムは、『テレビでビデオを見る』場合の制御に着目すれば、テレビ及びビデオが、リモコンから受信されたマクロコマンドによって、ステップ１  ：  ビデオデッキの電源をオンにする　ステップ２  ：  ビデオデッキの外部出力をテレビにする　ステップ３  ：  テレビの電源をオンにする　ステップ４  ：  テレビの外部入力をビデオにする　のように、テレビ及びビデオにまたがる複数の一連のコマンドを実行している。
　そうすると、機器制御システムは、テレビ及びビデオを制御するためのマクロコマンドを伝送するリモコンと、リモコンから受信されたマクロコマンドに基づいて、テレビ及びビデオを順次一括制御しているということができる。
　したがって、上記刊行物１には、以下の発明（以下、「引用発明１」という。）が記載されているものと認められる。
　「テレビ及びビデオを制御するためのマクロコマンドを伝送するリモコンと、
前記リモコンから受信されたマクロコマンドに基づいて、前記テレビ及びビデオを順次一括制御する、
機器制御システム。」
　
Ｂ　原査定の拒絶の理由に引用された特開２００２−３５４５５５号公報（刊行物２）には、図面とともに以下の事項が記載されている。 
イ．「【０００１】
【発明の属する技術分野】この発明は、機器を主として協調的に制御する装置、方法ならびにこの装置などによって制御される電子機器等に関する。」（４頁６欄） 
ロ．「【０００９】図１は、この実施形態の概念を示す図である。この実施形態は、本発明の基本的な実施形態の一つである。例えば、図に示すように部屋で映画を鑑賞しようとしたとする。そのためにデジタルテレビの電源をＯＮにし、見たい映画を放映しているチャンネルである８チャンネルにあわせ、デジタルテレビの画面を写す大スクリーンを作動し、番組を録画するビデオの電源をＯＮにし、照明を映画館のように薄暗くするなどの動作をする必要がある。本発明では、これらの動作は、リモコンからデジタルテレビ画面に映し出された「劇場モデル」という選択領域を選択することで自動的に各機器の作動が行われるというものである。したがって、映画を見ようとする人は、デジタルテレビの電源をＯＮにしたり、スクリーンの電源をＯＮにしたり、照明を暗く設定したりする必要はない。ここで「劇場モデル」とは、例えば、大スクリーンで、部屋の照度を低くして、映画館のような雰囲気を出しながら自宅の居間にて映画などを鑑賞するのに適した各種機器の設定状態をいう。
【００１０】図２は、これを実現するための仕組みを概念的に示したものである。この図にあるように、まず、サーバにて「劇場モデル」が選択される。このサーバとは、本発明に言うところの機器制御装置である。そして、サーバにおける「劇場モデル」の選択は、「劇場モデル」を実現するために機器に実行させる機器命令を含む命令列を選択したことになる。これにより、「テレビの電源ＯＮ  チャンネル８に設定、ビデオの電源ＯＮ、スクリーン状態ＯＮ、照明状態ＯＮ、照度を暗くする・・・」などの複数の機器命令が有する命令の実行指示が行われる。なお、劇場モデルの選択画面は、サーバのディスプレイで行ってもよいし、リモコンで行ってもよい。場合により、テレビのディスプレイを利用して選択画面を表示するようにしてもよい。テレビの画面を利用する場合にはテレビからサーバに対して選択結果の信号が渡されることとなる。」（５頁８欄）
　
　上記刊行物２の記載及び図面並びにこの分野における技術常識を考慮すると、上記イ．の【０００１】における「この発明は、機器を主として協調的に制御する装置・・に関する。」との記載、上記ロ．の【００１０】における「【００１０】における「サーバにて「劇場モデル」が選択される。このサーバとは、本発明に言うところの機器制御装置である。そして、サーバにおける「劇場モデル」の選択は、「劇場モデル」を実現するために機器に実行させる機器命令を含む命令列を選択したことになる。これにより、「テレビの電源ＯＮ  チャンネル８に設定、ビデオの電源ＯＮ、スクリーン状態ＯＮ、照明状態ＯＮ、照度を暗くする・・・」などの複数の機器命令が有する命令の実行指示が行われる。なお、劇場モデルの選択画面は、・・・リモコンで行ってもよい。」との記載、及び図１、２によれば、協調的に制御する装置は、「劇場モデル」を選択する場合に着目すると、リモコンから受信された実行命令により、サーバが、テレビ、ビデオ、スクリーン及び照明を、機器命令が有する命令の実行指示により順次一括制御している。ここで、図１によれば、リモコンは、サーバが、テレビ、ビデオ、スクリーン及び照明を制御するための劇場モデルという実行命令を伝送していることが読み取れる。
　
　したがって、上記刊行物２には、以下の発明（以下、「引用発明２」という。）が記載されているものと認められる。
　
　「テレビ、ビデオ、スクリーン及び照明を制御するための劇場モデルという実行命令を伝送するリモコンと、
前記リモコンから受信された前記実行命令に基づいて、前記テレビ、ビデオ、スクリーン及び照明を順次一括制御するサーバとを有する、
協調的に制御する装置。」
　
Ｃ　原査定の拒絶の理由に引用された特開２００７−５３５６０号公報（刊行物３）には、図面とともに以下の事項が記載されている。 
　
イ．「【００４１】
　次に、ユーザがリモコン送信器の操作により「目的情景」を“映画鑑賞ホラー”に切り替える。すると、この目的情景切替イベントの発生により目的情景切替イベント対応処理へ移行し、図３のフローチャートに示す処理が実行される。この結果、「目的情景」“映画鑑賞ホラー”に対応する目的情景データベース５の制御パラメータが読み出され「目的情景」“映画鑑賞ホラー”に最適な環境が演出される。この「目的情景」“映画鑑賞ホラー”に最適な環境の演出は、次のようにして実現される。最初、「目的情景」が“映画鑑賞ホラー”に切り替えられた時点では、室内の照明Ａ、Ｂ、サブ照明はそれぞれ８０％に調光される。また、このとき空調装置２１３はオン、ＴＶ２０１はオフ（ＯＳＤ表示画面上での「目的情景」切り替え処理、「ＰＬＡＹ」、「ＰＡＵＳＥ」などについての操作イベントの確定後、ＴＶ２０１はオフとなる）、スピーカシステム２０４はオン、ＤＶＤプレーヤ２０２はオン、ＣＤプレーヤ２０３はオン、スクリーン昇降装置２０８はスクリーンを下降させ、プロジェクタ２０７はオン、カーテン駆動装置２０９はカーテンを展開する。
　さらにこの状態で、ユーザがリモコン送信器を操作して「ＰＬＡＹ」指示すると、図４に示す操作イベント対応処理へ移行し、図４のフローチャートに示す処理が実行される。この結果、「目的情景」“映画鑑賞ホラー”、操作イベント「ＰＬＡＹ」に対応する目的情景データベース５の制御パラメータが読み出され「目的情景」“映画鑑賞ホラー”に最適な環境が演出される。すなわち、“映画鑑賞ホラー”、操作イベント「ＰＬＡＹ」に対応して、照明Ａ、Ｂ、サブ照明がそれぞれ２０％に調光され、室内の照明が暗くなり、また、音量や音場の調節も行われ映画用音場が再現され、ＤＶＤプレーヤ２０２から再生された映像がプロジェクタ２０７から出力され、スクリーンに映し出される。」（１２〜１３頁）
　
ロ．「【００４８】
　また、「目的情景」を演出しようとする空間の状態を示す外部情報を検出するための外部情報検出手段３を備えており、制御手段６は、前記外部情報検出手段３が検出した前記「目的情景」を演出しようとする空間の状態を示す外部情報、被制御装置の状態を示す状態情報、および目的情景データベース５から読み出した前記被制御装置の制御パラメータをもとに制御コマンドを生成し、前記生成した制御コマンドを前記被制御装置との間で送受信し、前記被制御装置を制御する。
　このため、目的情景データベース５には、どの目的情景を選択中に室内の明るさがどの程度の明るさになった場合にカーテンを制御するかを規定する制御パラメータが記述されている。例えば、室内で「目的情景」“映画鑑賞ホラー”を選択中で操作イベント「ＰＬＡＹ」をもとに照明Ａ、Ｂ、サブ照明がそれぞれ２０％に調光された状態の明るさ、すなわち“映画鑑賞ホラー”用照度で映画鑑賞用の目的情景が演出されていた場合に、窓から日光が差し込み、室内の視聴空間の明るさが前記映画鑑賞ホラー”用照度を超えた場合を想定する。この場合、外部情報検出手段３により前記室内が前記映画鑑賞ホラー”用照度を超えたことを検出できる。このような場合、制御手段６はカーテン駆動装置２０９に対し、外部情報検出手段３により室内の照度を検出しフィードバックしながら、窓のカーテンを閉じ遮光する制御を自動的に行い、室内の照度が前記映画鑑賞ホラー”用照度になるよう、演出している「目的情景」を最適な状態に保つ。」（１４頁）
　
　上記刊行物３の記載及び図面並びにこの分野における技術常識を考慮すると、上記イ．の【００４１】における「ユーザがリモコン送信器を操作して「ＰＬＡＹ」指示すると、図４に示す操作イベント対応処理へ移行し、図４のフローチャートに示す処理が実行される。この結果、「目的情景」“映画鑑賞ホラー”、操作イベント「ＰＬＡＹ」に対応する目的情景データベース５の制御パラメータが読み出され「目的情景」“映画鑑賞ホラー”に最適な環境が演出される。すなわち、“映画鑑賞ホラー”、操作イベント「ＰＬＡＹ」に対応して、照明Ａ、Ｂ、サブ照明がそれぞれ２０％に調光され、室内の照明が暗くなり、また、音量や音場の調節も行われ映画用音場が再現され、ＤＶＤプレーヤ２０２から再生された映像がプロジェクタ２０７から出力され、スクリーンに映し出される。」との記載によれば、空間演出装置は、“映画鑑賞ホラー”、操作イベント「ＰＬＡＹ」を指示した場合に着目すると、照明を暗くし、音量や音場の調節を行い、ＤＶＤプレーヤから映像を再生している。ここで、上記ロ．の【００４８】における「“映画鑑賞ホラー”用照度で映画鑑賞用の目的情景が演出されていた場合に、窓から日光が差し込み、室内の視聴空間の明るさが前記映画鑑賞ホラー”用照度を超えた場合を想定する。この場合、外部情報検出手段３により前記室内が前記映画鑑賞ホラー”用照度を超えたことを検出できる。このような場合、制御手段６はカーテン駆動装置２０９に対し、外部情報検出手段３により室内の照度を検出しフィードバックしながら、窓のカーテンを閉じ遮光する制御を自動的に行い、室内の照度が前記映画鑑賞ホラー”用照度になるよう、演出している「目的情景」を最適な状態に保つ。」との記載によれば、空間演出装置は、“映画鑑賞ホラー”用照度で映画鑑賞用の目的情景が演出されていた場合に、窓のカーテンを閉じ遮光する制御を自動的に行っている。そうすると、空間演出装置は、照明、音量や音場の調節を行い、ＤＶＤプレーヤから映像を再生する際、これら以外のカーテンの制御を行っているということができる。
Ｄ　原査定の拒絶の理由に引用された特開２０００−３１２３９０号公報（刊行物４）には、図面とともに以下の事項が記載されている。
イ．「【００１１】
【課題を解決するための手段】このような目的下において、本件請求項１記載の表示装置においては、複数の外部装置を接続する表示装置であって、前記複数の外部装置を示す所定の表示を行う表示手段と、前記所定の表示中より任意の表示を指定する指定手段と、前記指定手段により指定された表示に係る外部装置の電源をＯＮすると共に、前記指定手段により指定された表示に係る外部装置以外の前記複数の外部装置の電源をＯＦＦするべく前記複数の外部装置を制御する制御手段を備える構成とした。」（３頁３欄）
ロ．「【００１６】図１は本発明が適用されるテレビジョン信号受信装置を含むＡＶシステムの構成を示したブロック図である。
【００１７】図１において、テレビ１０１、ＶＴＲ１０３、ＶＴＲ１０４、ＣＤプレイヤ１０５、ＭＤプレイヤ１０６、ＦＭ及びＡＭのチューナ１０７、カセットデッキ１０８は、共通バス１０９にそれぞれ接続している。そして、各外部装置１０３〜１０８は、共通バス１０９を介して、各外部装置の電源状態や外部装置の種類等の情報をテレビ１０１に送信する。
【００１８】また、テレビ１０１は、リモコン１０２の操作に応じて、共通バス１０９を介して各外部装置１０３〜１０８に対して制御信号を出力する。」（３頁４欄）
ハ．「【００５１】更に、前述の如く、選択された外部装置若しくはテレビ１０１に対して電源ＯＮのコマンドを送信すると共に、その他の外部装置若しくはテレビ１０１に対して電源ＯＦＦのコマンドを送信する。図５(ｂ)に示した場合では、ＣＤキーとＭＤキーが選択されている為、ＣＤプレイヤ１０５とＭＤプレイヤ１０６に対して電源ＯＮのコマンドを送信すると共に、テレビ１０１、ＶＴＲ１０３、ＶＴＲ１０４、チューナ１０７、カセットデッキ１０８に対して電源ＯＦＦのコマンドを送信する。」（６頁９欄）
ニ．「【０１０３】
【発明の効果】以上説明したように、本発明によれば、動作させたい外部装置を指定すると同時に、指定された外部装置の電源をＯＮし、指定されていない外部装置の電源をＯＦＦするようにしたので、煩雑な操作をすることなく、動作させたい外部装置のみ電源ＯＮ状態にすることができる。従って、操作性が向上すると共に、動作不要な外部装置の電源切り忘れ等による無駄な電力消費を削減することができる。」（９頁１６欄）
　上記刊行物４の記載及び図面並びにこの分野における技術常識を考慮すると、上記ロ．の【００５１】における「ＣＤキーとＭＤキーが選択されている為、ＣＤプレイヤ１０５とＭＤプレイヤ１０６に対して電源ＯＮのコマンドを送信すると共に、テレビ１０１、ＶＴＲ１０３、ＶＴＲ１０４、チューナ１０７、カセットデッキ１０８に対して電源ＯＦＦのコマンドを送信する。」との記載、及び図１によれば、ＡＶシステムは、ＣＤプレイヤ（１０５）とＭＤプレイヤ（１０６）に対して電源ＯＮのコマンドを送信すると共に、テレビ（１０１）、ＶＴＲ（１０３）、ＶＴＲ（１０４）、チューナ（１０７）、カセットデッキ（１０８）に対して電源ＯＦＦのコマンドを送信している。
Ｅ　原査定の拒絶の理由に引用された特開２００７−２３４７３５号公報（刊行物５）には、図面とともに以下の事項が記載されている。
イ．「【００２２】
　図１を参照して、本発明の実施の形態に係る制御システムの使用態様について説明する。図１は、リモコンアダプタ２００が装着された電子機器が配置されている部屋１０を表わす図である。
【００２３】
　部屋１０には、テレビ１００と、エアコン１１０と、ＨＤＤレコーダ１２０とが配置されている。テレビ１００とＨＤＤレコーダ１２０とは、ケーブル１０４を介して接続されている。テレビ１００の前面パネルには、リモコンアダプタ２００ａが装着されている。同様に、エアコン１１０の前面には、リモコンアダプタ２００ｂが装着されている。リモコンアダプタ２００ａ，２４００ｂは、総称されるときは、リモコンアダプタ２００と表わされる。リモコンアダプタ２００は、それが装着された機器へ制御信号を送信するための器具である。
【００２４】
　部屋１０には、さらにリモコン装置１３０が配置されている。リモコン装置１３０は、電子機器の動作を制御するための信号を出力する発光部１３２を備える。発光部１３２は、予め定められた角度に従ってリモコン信号を照射する。リモコン信号は、たとえば赤外線光である。」（７〜８頁）
ロ．「【００６６】
　たとえば、第１の機器がＤＶＤプレーヤで第２の機器がテレビの場合、コンテンツを視聴するためにＤＶＤプレーヤに対する制御信号を視聴者が送信させた場合、リモコンアダプタはテレビに制御信号を送信する。ＤＶＤプレーヤに対する制御信号はＤＶＤプレーヤにも送信される。これにより、ＤＶＤプレーヤに対する操作を視聴者が実施すれば、テレビもコンテンツを視聴できるように連動する。テレビの電源を投入するためだけの操作を視聴者が実施する必要はない。
【００６７】
　テレビが連携して動作する場合のほか、照明機器の電源を切るとテレビの電源も切れるといった動作や、テレビをオフにするとＤＶＤプレーヤもオフにするといった制御や、複数の機器の電源を連続してオフにするとその他の機器の電源もオフにするといった制御も可能である。」（１５頁）
　上記刊行物５の記載及び図面並びにこの分野における技術常識を考慮すると、上記ロ．の【００６７】における「テレビが連携して動作する場合のほか、照明機器の電源を切るとテレビの電源も切れるといった動作や、テレビをオフにするとＤＶＤプレーヤもオフにするといった制御や、複数の機器の電源を連続してオフにするとその他の機器の電源もオフにするといった制御も可能である。」との記載、及び図面によれば、制御システムは、テレビをオフにするとＤＶＤプレーヤもオフにする制御をしている。
Ｆ　したがって、上記Ｃ〜Ｅより、「ホームネットワークシステムにおいて、制御対象の被制御デバイス以外のデバイスを制御すること。」は、本願の優先権主張の日前、周知の技術（以下、「周知技術」という。）ということができる。
Ｇ　前置報告書で挙げられた特開２００５−２０６５０号公報（刊行物６）には、図面とともに以下の事項が記載されている。
イ．「【０００１】
【発明の属する技術分野】
本発明は、ホームネットワークにつながれた家電機器、ＡＶ（Ａｕｄｉｏ  Ｖｉｓｕａｌ）機器（以下「家電機器」と総称する）を宅内および宅外から操作する遠隔操作端末装置に関する。」（４頁）
ロ．「【００１５】
尚、ゲートウェイは、操作端末から送信される特定の要求、操作端末の状態、家電機器の状態及びこれらの状態における家電機器の操作内容との対応関係を保持し、この対応関係に従って家電機器の操作内容を決定する構成としても良い。ここで、操作端末の状態とは、例えば宅外からのアクセスか宅内からのアクセスかといった操作端末の場所を指す情報を含む。」（５頁）
ハ．「【００２２】
図２は、本発明に係わるホームネットワーク２０１を用いた、ホームネットワーク対応の家電機器２０２（以下、「ネット家電２０２」と呼ぶ）操作システムのネットワーク構成の一例を示す図である。
【００２３】
本システムでは、ホームネットワーク２０１に、操作端末１０１、ホームゲートウェイ２０３及びネット家電２０２が接続されている。ホームゲートウェイ２０３は、ホームネットワーク２０１と他のネットワークとを接続（使用プロトコルの変更等）する機器であり、本実施形態では、ホームネットワーク２０１と、インターネット等の外部ネットワーク２０４とを接続している。尚、操作端末１０１は、外部ネットワーク２０４を介してホームネットワーク２０１と接続される場合もある。
【００２４】
住居内又は住居外に居る使用者が操作端末１０１を操作すると、操作端末１０１から、状態遷移、操作選択又はコマンド要求のコマンドがホームゲートウェイ２０３に送られる。ホームゲートウェイ２０３は、状態遷移要求に対しては、要求された状態遷移に対応するページ情報を操作端末１０１に返し、操作選択に対しては指定されたネット家電２０２に指定された操作コマンドを発行する。
【００２５】
尚、「状態遷移」のコマンドとは、例えば、部屋全体の情報を表示している表示画面（即ち操作対象が「部屋全体」）から、その部屋のエアコンの情報（電源、タイマー、設定温度等）を表示する画面（即ち操作対象が「エアコン」）へ変更するための情報を要求するためのコマンドである。」（６頁）
ニ．「【００９３】
ホームサーバプログラム４１１は、オートコマンド発行アドレスをホームネットワークインターフェース４０７を用いて受け取ったならば宅内からのアクセスであり、外部ネットワークインターフェース４０６を用いて受け取ったならば宅外からのアクセスと判断する。次にホームサーバプログラム４１１は、受け取ったアドレスを解析して（ＳＴ１５０１）、それが宅内部屋状態をさすならば宅内部屋アドレス、ネット家電操作状態をさすならばその機器ドライバ起動コマンドおよびフォームデータａｄｄｒｅｓｓ変数部よりホームネットワークアドレスを得る。
【００９４】
ネット家電操作状態であれば（ＳＴ１５０２）、ホームサーバプログラム４１１は得られた機器ドライバ起動コマンドを実行して機器操作ドライバ４０９を起動し（ＳＴ１５０３）、その機器操作ドライバ４０９にオートコマンドを渡す（１４１４、ＳＴ１５０４）。宅内部屋状態ならば（ＳＴ１５０２）、ホームサーバプログラム４１１は状態コマンド処理（ＳＴ１５０５）に入る。状態コマンド処理（ＳＴ１５０５）では、ホームサーバプログラム４１１は、遷移先状態アドレスがネット家電操作状態であるならば、その機器操作ドライバ４０９を起動し（ＳＴ１５０６）、状態取得コマンドを渡す（ＳＴ１５０７）という操作を繰り返し、遷移先状態アドレスがネット家電操作状態でないならば、オートボタン処理を終了する。
【００９５】
オートコマンド発行アドレスがネット家電操作状態をさしており、オートコマンドを渡された操作対象ネット家電２０２の機器操作ドライバ４０９がオートコマンドテーブルを持つ場合、そのネット家電２０２はオートコマンド対応機器である。よって、機器操作ドライバ４０９は通常のコマンドに加えてオートコマンドを発行するにあたり機器状態にあった動作を実行するコマンドをネット家電２０２に対して発行する。オートボタン１０２の動作内容を変更するには、使用者またはネットワーク管理者が直接またはネットワークを介してこのオートコマンドテーブルの内容を変更すればよい。
【００９６】
図１６は、ビデオデッキを操作対象のネット家電２０２とした場合のビデオデッキ用の機器操作ドライバ４０９から送信される各操作コマンドに対する動作内容を示す図である。各状態に応じたオートコマンド動作内容は太枠内のようになる。
【００９７】
図１７は、ビデオデッキ用の機器操作ドライバ４０９が持つオートコマンドテーブルを示す図である。このオートコマンドテープルにより、使用者がオートボタン１０２を押したときにビデオデッキに送信される操作コマンドが決定され、図１６で示される太枠部の動作が実行される。宅内から操作端末１０１でこのビデオデッキをオートコマンドで操作した場合のシーケンス例（図１４の下部のシーケンス）を以下に説明する。
【００９８】
オート操作コマンドを受信したビデオデッキ用の機器操作ドライバ４０９は、操作対象のビデオデッキに対して状態取得コマンドを発行し（１４１５）、機器状態情報を得る（１４１６）。そのときの機器状態が、電源が入っておらず録画予約がない状態で、ホームネットワークインターフェース４０７を用いたアクセスであれば（１４１７）、図１７のオートコマンドテーブルに従って（ホーム・電源オフ・予約なし→電源オン）、機器操作ドライバ４０９からビデオデッキへ、電源を入れるためのＯＮコマンドが発行される（１４１８）。」（１５〜１６頁）
ホ．「【０１０２】
オートボタン１０２による操作コマンド入力およびショートカット入力は、単体のネット家電２０２の操作にとどまらず、複数のネット家電２０２やセンサ等のネット家電２０２以外のネットワークに対応した機器を組み合わせた機器連携動作にも用いることができる
。
【０１０３】
具体的には、機器操作ドライバ４０９およびオートコマンドテーブルを、ネット家電操作状態より上位の宅内部屋状態に適用する。そして、通常の機器操作ドライバ４０９と同様に、その宅内部屋状態での連携操作に適用する機器操作ドライバ４０９’をホームゲートウェイ２０３に適宜ダウンロードすることにより、連携操作を実現する。
【０１０４】
宅内部屋状態に対応した機器操作ドライバ４０９’は、各機器状態を判断してその部屋のネット家電２０２の制御プログラムにテーブルに沿った動作内容を送る。図１８は、使用者が２階寝室状態においてオートボタン１０２を操作し、それによってホームサーバプログラム４１１からオートコマンドが発行されたときに使用されるオートコマンドテーブル例を示す図である。
【０１０５】
本例でのオートコマンドテーブルは、機器状態を判断するための状態取得対象機器と、取得した機器の状態に応じた操作を行う操作対象機器の２種類に分けてデータを持っている。本例では、操作端末１０１がホームゲートウェイ２０３のホームネットワークインターフェース４０７に対してアクセスしており、２階に設置している時計がＡＭ７：００からＡＭ１０：００までの間でかつ照度センサの明るさが暗ければ連動してそれぞれ照明にＯＮ、カーテンにＯＰＥＮ、テレビにＯＮのコマンドを発行する。これにより使用者が朝起きた時、オートボタン１０２を２階寝室状態で押すことにより、一連の機器操作をオートで行うことができる。」（１６〜１７頁）
　上記刊行物６の記載及び図面並びにこの分野における技術常識を考慮すると、上記ロ．の【００２３】における「本システムでは、ホームネットワーク２０１に、操作端末１０１、ホームゲートウェイ２０３及びネット家電２０２が接続されている。」との記載、同ロ．の【００２４】における「住居内又は住居外に居る使用者が操作端末１０１を操作すると、操作端末１０１から、状態遷移、操作選択又はコマンド要求のコマンドがホームゲートウェイ２０３に送られる。ホームゲートウェイ２０３は、状態遷移要求に対しては、要求された状態遷移に対応するページ情報を操作端末１０１に返し、操作選択に対しては指定されたネット家電２０２に指定された操作コマンドを発行する。」との記載、及び図２によれば、ホームネットワークシステムにおいて、ホームゲートウェイ（２０３）は、操作端末（１０１）から受信されたコマンドに基づいて、複数のネット家電（２０２）を制御している。
　また、上記ロ．の【００１５】の「ゲートウェイは、操作端末から送信される特定の要求、操作端末の状態、家電機器の状態及びこれらの状態における家電機器の操作内容との対応関係を保持し、この対応関係に従って家電機器の操作内容を決定する構成としても良い。ここで、操作端末の状態とは、例えば宅外からのアクセスか宅内からのアクセスかといった操作端末の場所を指す情報を含む。」の記載から、前記ホームゲートウェイが、操作端末からの要求とネット家電の操作内容との対応関係を操作端末の場所の情報（宅内／宅外）も踏まえて保持し、その対応関係に従って複数のネット家電を組み合わせた機器連携動作を制御することが読み取れる。
　したがって、上記刊行物６には、以下の発明（以下、「技術事項４」という。）が記載されているものと認められる。
　「複数のネット家電（２０２）を制御するためのコマンドを伝送する操作端末（１０１）と、
前記操作端末（１０１）から受信された前記コマンドに基づいて、前記ネット家電（２０２）を制御するホームゲートウェイ（２０３）と、を有し、
　前記ホームゲートウェイ（２０３）は、操作端末からの要求とネット家電の操作内容との対応関係を操作端末の場所の情報（宅内／宅外）も踏まえて保持し、その対応関係に従って複数のネット家電を組み合わせた機器連携動作を制御する、ホームネットワークシステム。」
（２−１）　対比
　本願発明と引用発明１とを対比する。 
ａ．引用発明１の「テレビ及びビデオ」は、制御されるデバイスであるから、本願発明の「被制御デバイス」ということができる。
ｂ．引用発明１の「マクロコマンド」と、本願発明の「コマンドセット」とは、後述する相違点を除いて、「特定のコマンド」という点で一致する。
ｃ．引用発明１の「リモコン」は、ユーザの命令を入力するデバイスであるから、本願発明の「入力デバイス」ということができる。
ｄ．引用発明１の「機器制御システム」は、上記刊行物１の上記ロ．の【００６３】における「ホームネットワークに接続された家電機器(２００１〜２００５)を単一のリモコンで制御する」との記載によれば、本願発明の「ホームネットワークシステム」ということができる。
 　したがって、本願発明と引用発明１は、以下の点で一致ないし相違している。 
＜一致点＞ 
　「複数の被制御デバイスを制御するための特定のコマンドを伝送する入力デバイスと、
前記入力デバイスから受信された前記特定のコマンドに基づいて、前記複数の被制御デバイスのうち、少なくとも二つの被制御デバイスを順次に一括制御する、
ホームネットワークシステム。」
＜相違点１＞
　一致点の「特定のコマンド」に関し、
　本願発明は、「コマンドセット」であるのに対し、引用発明１は、「マクロコマンド」である点。
　
＜相違点２＞
　本願発明は、「制御デバイス」を有するのに対し、引用発明１は、当該「制御デバイス」を備えない点。
　これに伴って、
　本願発明の「前記制御デバイスは、前記入力デバイスが固定された位置で使用される自宅内デバイスである場合、前記二つの被制御デバイスのみを制御し、前記入力デバイスがユーザによって携帯可能な自宅外デバイスである場合、前記二つの被制御デバイス以外の被制御デバイスを追加で制御する」のに対し、引用発明１は、その様な構成を備えない点。
（３−１）判断
　そこで、まず、上記相違点２について検討する。
　引用発明１は、「リモコンから受信されたマクロコマンドに基づいて、テレビ及びビデオを順次一括制御する」に過ぎず、そもそも、「機器制御システム」が、本願発明の「制御デバイス」を有するものでないから、上記相違点２における本願発明の発明特定事項である「制御デバイス」を有する点、これに伴って、「前記制御デバイスは、前記入力デバイスが固定された位置で使用される自宅内デバイスである場合、前記二つの被制御デバイスのみを制御し、前記入力デバイスがユーザによって携帯可能な自宅外デバイスである場合、前記二つの被制御デバイス以外の被制御デバイスを追加で制御する」点を、引用発明１から導き出すことはできない。
　また、上記「（１）刊行物の記載事項」の項Ｆのとおり、刊行物３〜５には、「ホームネットワークシステムにおいて、制御対象の被制御デバイス以外のデバイスを制御すること。」との周知技術が記載されている。
　しかしながら、上記周知技術は、上記相違点２における本願発明の発明特定事項である「制御デバイス」を有する点、これに伴って、「前記制御デバイスは、前記入力デバイスが固定された位置で使用される自宅内デバイスである場合、前記二つの被制御デバイスのみを制御し、前記入力デバイスがユーザによって携帯可能な自宅外デバイスである場合、前記二つの被制御デバイス以外の被制御デバイスを追加で制御する」点を、開示も示唆もしていないから、例え、上記周知技術があったとしても、引用発明１及び上記周知技術に基づいて、本願発明を導き出すことはできない。
　そして、本願発明は、上記各発明特定事項を備えることにより、本願発明の「二つの被制御デバイス以外の被制御デバイス」が、空調装置である場合を例示すれば、ユーザが室内にいる場合は余計な空調制御が不要になり、ユーザが室外にいる場合にはユーザが部屋に戻ったとき快適に過ごせるように予め空調制御を行うことが可能になるという作用効果を奏するものである。
　よって、本願発明は、上記相違点１について検討するまでもなく、引用発明１及び上記周知技術に基いて、当業者が容易に発明をすることができたとはいえない。
（２−２）対比
　本願発明と引用発明２とを対比する。 
ａ．引用発明２の「テレビ、ビデオ、スクリーン及び照明」は、制御されるデバイスであるから、本願発明の「被制御デバイス」ということができる。
ｂ．本願明細書段落【０００９】における「前記コマンドセットは、前記少なくとも二つの被制御デバイスを制御するための複数の制御命令が、前記制御デバイスで順次に生成されるようにするための一つの制御命令であってよい。」との記載によれば、本願発明の「コマンドセット」は、少なくとも二つの被制御デバイスを制御するための複数の制御命令が、制御デバイスで順次に生成されるようにするための一つの制御命令である。一方、上記刊行物２の上記ロ．の【００１０】における「サーバにおける「劇場モデル」の選択は、「劇場モデル」を実現するために機器に実行させる機器命令を含む命令列を選択したことになる。これにより、「テレビの電源ＯＮ  チャンネル８に設定、ビデオの電源ＯＮ、スクリーン状態ＯＮ、照明状態ＯＮ、照度を暗くする・・・」などの複数の機器命令が有する命令の実行指示が行われる。」との記載によれば、引用発明２の「実行命令」は、テレビ、ビデオ、スクリーン、及び照明を制御するための機器命令が、サーバで順次に生成されるようにするための一つの「劇場モデル」という実行命令である。
　したがって、引用発明２の「実行命令」は、本願発明の「コマンドセット」ということができる。
ｃ．引用発明２の「リモコン」は、ユーザの命令を入力するデバイスであるから、本願発明の「入力デバイス」ということができる。
ｄ．引用発明２の「サーバ」は、被制御デバイスを制御するデバイスであるから、本願発明の「制御デバイス」ということができる。
ｆ．引用発明２の「協調的に制御する装置」は、サーバが、テレビ、ビデオ、スクリーン及び照明を制御するためにホームネットワークを有することは技術常識であるから、「ホームネットワークシステム」ということができる。
 　したがって、本願発明と引用発明２は、以下の点で一致ないし相違している。 
＜一致点＞ 
　「複数の被制御デバイスを制御するためのコマンドセットを伝送する入力デバイスと、
前記入力デバイスから受信された前記コマンドセットに基づいて、前記複数の被制御デバイスのうち、少なくとも二つの被制御デバイスを順次に一括制御する制御デバイスと、を有する
ホームネットワークシステム。」
＜相違点＞
　本願発明の「前記制御デバイスは、前記入力デバイスが固定された位置で使用される自宅内デバイスである場合、前記二つの被制御デバイスのみを制御し、前記入力デバイスがユーザによって携帯可能な自宅外デバイスである場合、前記二つの被制御デバイス以外の被制御デバイスを追加で制御する」のに対し、引用発明２は、その様な構成を備えない点。
（３−２）判断
　そこで、上記相違点について検討する。
　引用発明２は、「前記リモコンから受信された前記実行命令に基づいて、前記テレビ、ビデオ、スクリーン及び照明を順次一括制御するサーバ」があるに過ぎず、そもそも、「サーバ」が、上記相違点における本願発明の発明特定事項である「前記入力デバイスが固定された位置で使用される自宅内デバイスである場合、前記二つの被制御デバイスのみを制御し、前記入力デバイスがユーザによって携帯可能な自宅外デバイスである場合、前記二つの被制御デバイス以外の被制御デバイスを追加で制御する」点を備えていないから、引用発明２から本願発明を導き出すことはできない。
　また、上記「（１）刊行物の記載事項」の項Ｆのとおり、刊行物３〜５には、「ホームネットワークシステムにおいて、制御対象の被制御デバイス以外のデバイスを制御すること。」との周知技術が記載されている。
　しかしながら、上記周知技術は、上記相違点２における本願発明の発明特定事項である「前記入力デバイスが固定された位置で使用される自宅内デバイスである場合、前記二つの被制御デバイスのみを制御し、前記入力デバイスがユーザによって携帯可能な自宅外デバイスである場合、前記二つの被制御デバイス以外の被制御デバイスを追加で制御する」点を、開示も示唆もしていないから、例え、上記周知技術があったとしても、引用発明２及び上記周知技術に基づいて、本願発明を導き出すことはできない。
　そして、本願発明は、上記発明特定事項を備えることにより、本願発明の「二つの被制御デバイス以外の被制御デバイス」が、空調装置である場合を例示すれば、ユーザが室内にいる場合は余計な空調制御が不要になり、ユーザが室外にいる場合にはユーザが部屋に戻ったとき快適に過ごせるように予め空調制御を行うことが可能になるという作用効果を奏するものである。
　よって、本願発明は、引用発明２及び上記周知技術に基いて、当業者が容易に発明をすることができたとはいえない。
（４）小括
　したがって、本願発明は、引用発明１、２及び上記周知技術に基いて、当業者が容易に発明をすることができたとはいえない。
（５）請求項２ないし１１について
　請求項２ないし１１は、請求項１を直接又は間接的に引用する従属項であり、本願発明の発明特定事項をすべて含みさらに発明特定事項を追加して限定したものであるから、上記（３−１）及び（３−２）と同じ理由により、引用発明１、２及び上記周知技術に基づいて当業者が容易に発明をすることができたとはいえない。
　
（６）請求項１２について
　請求項１２は、請求項１に係る「ホームネットワークシステム」の発明のカテゴリーを方法とし、「ネットワークシステムの制御方法」とした発明であるから、上記（３−１）び（３−２）と同じ理由により、引用発明１、２及び上記周知技術に基づいて当業者が容易に発明をすることができたとはいえない。
　よって、原査定の理由によっては、本願を拒絶することはできない。
　なお、平成２７年３月２６日付け前置報告書におい引用された、刊行物６：特開２００５−２０６５０号公報について検討する。そして、刊行物６には、上記「（１）刊行物の記載事項」の項Ｇのとおり、技術事項４が記載されている。
（７）対比
　本願発明と技術事項４とを対比する。 
ａ．技術事項４の「ネット家電（２０２）」は、制御されるデバイスであるから、本願発明の「被制御デバイス」ということができる。
ｂ．技術事項４の「コマンド」と、本願発明の「コマンドセット」とは、後述する相違点を除いて、「特定のコマンド」という点で一致する。
ｃ．技術事項４の「操作端末」は、ユーザの命令を入力するデバイスであるから、本願発明の「入力デバイス」ということができる。
ｄ．技術事項４の「ホームゲートウェイ（２０３）」は、被制御デバイスを制御するデバイスであるから、本願発明の「制御デバイス」ということができる。
 　したがって、本願発明と技術事項４は、以下の点で一致ないし相違している。 
＜一致点＞ 
　「複数の被制御デバイスを制御するための特定のコマンドを伝送する入力デバイスと、
前記入力デバイスから受信された前記特定のコマンドに基づいて、前記複数の被制御デバイスのうち、少なくとも二つの被制御デバイスを順次に一括制御する制御デバイスと、を有する、
ホームネットワークシステム。」
＜相違点１＞
　一致点の「特定のコマンド」に関し、
　本願発明は、「コマンドセット」であるのに対し、技術事項４は、「コマンド」である点。
　
＜相違点２＞
　本願発明の「前記制御デバイスは、前記入力デバイスが固定された位置で使用される自宅内デバイスである場合、前記二つの被制御デバイスのみを制御し、前記入力デバイスがユーザによって携帯可能な自宅外デバイスである場合、前記二つの被制御デバイス以外の被制御デバイスを追加で制御する」のに対し、技術事項４は、「前記ホームゲートウェイ（２０３）は、操作端末からの要求とネット家電の操作内容との対応関係を操作端末の場所の情報（宅内／宅外）も踏まえて保持し、その対応関係に従って複数のネット家電を組み合わせた機器連携動作を制御する」点。
（８）判断
　そこで、まず、上記相違点２について検討する。
　本願発明の発明特定事項である「前記入力デバイスが固定された位置で使用される自宅内デバイスである場合、前記二つの被制御デバイスのみを制御し、前記入力デバイスがユーザによって携帯可能な自宅外デバイスである場合、前記二つの被制御デバイス以外の被制御デバイスを追加で制御する」点について、技術事項４では、「操作端末」が「ネット家電」である点について記載も示唆もされておらず、更に「操作端末」が宅外にある場合「被制御デバイスを追加で制御する」に相当する構成を有していない。このため、技術事項４から本願発明を導き出すことはできない。
　そして、本願発明は、上記発明特定事項を備えることにより、本願発明の「二つの被制御デバイス以外の被制御デバイス」が、空調装置である場合を例示すれば、ユーザが室内にいる場合は余計な空調制御が不要になり、ユーザが室外にいる場合にはユーザが部屋に戻ったとき快適に過ごせるように予め空調制御を行うことが可能になるという作用効果を奏するものである。
　したがって、本願発明は、上記相違点１について検討するまでもなく、技術事項４に基いて、当業者が容易に発明をすることができたとはいえない。
第４　当審拒絶理由について
１．当審拒絶理由の概要
　本願は、特許請求の範囲の記載が下記の点で不備のため、特許法第３６条第６項第１号に規定する要件を満たしていない。 
　　　　　　　　　　　　　　　　　記
１．請求項１及び１２には、「制御デバイスは（が）、・・・前記入力デバイスが自宅内または自宅外に位置するかに応じて、・・・前記二つの被制御デバイス以外の被制御デバイスを追加で制御する」との記載がある。
　一方、発明の詳細な説明には、「・・・自宅内のデバイスからＤＶＤ視聴のためのユーザの命令が入力された場合、加湿器４１０とエアコン４３０がオンであるかオフであるかによらず、ホームサーバ１１０は加湿器４１０とエアコン４３０に対する別途の制御命令を生成しなくてよい。」（段落【００６６】）との記載、また、「自宅外のデバイスからＤＶＤ視聴のためのユーザの命令が入力された場合、・・・ホームサーバ１１０はＤＶＤ視聴のための最適の温度及び湿度になるようにするため、加湿器４１０とエアコン４３０に対する別途の制御命令を生成するようになる。」（段落【００６７】）との記載があり、制御デバイス（ホームサーバ１１０）は、二つの被制御デバイス以外の被制御デバイス（加湿器４１０とエアコン４３０）を、自宅内の場合、制御せず（別途の制御命令を生成しない）、自宅外の場合、制御する（別途の制御命令を生成する）ものである。 
　よって、請求項１及び１２の上記記載は、発明の詳細な説明の記載と対応していない。 
　したがって、請求項１〜１２に係る発明は、発明の詳細な説明に記載したものではない。
２．当審拒絶理由の判断
（１）平成２７年１１月２５日付け手続補正書によって、本願の請求項１及び１２は「前記制御デバイスは、前記入力デバイスが固定された位置で使用される自宅内デバイスである場合、前記二つの被制御デバイスのみを制御し、前記入力デバイスがユーザによって携帯可能な自宅外デバイスである場合、前記二つの被制御デバイス以外の被制御デバイスを追加で制御する」と補正された。このことにより、請求項１及び１２の上記記載は、発明の詳細な説明の段落【００６６】及び段落【００６７】の記載と対応するものとなり、発明の詳細な説明に記載したものとなった。
　よって、当審拒絶理由１．は解消した。
第５　むすび
　以上のとおり、原査定の理由によっては、本願を拒絶することはできない。
　また、他に本願を拒絶すべき理由を発見しない。
　よって、結論のとおり審決する。